(57)【要約】【課題】空調機の室内機に溜るドレン水を排水する排水ポンプに逆止弁を備えてドレンパンの清浄化を図る。【解決手段】排水ポンプ１００はポンプハウジング１１０内に回転羽根１３０を備えて、吸込口１２０からドレン水を吸上げて吐出口１２２から立上り管側へドレン水を吐出する。逆止弁部材２００は、吐出口１２２内に摺動自在に配置され、運転時にはドレン水流Ｆ１により弁を開き停止時には立上り管から戻るドレン水に押されて弁を閉じる。【選択図】図１
2014015860.tif 000002
【特許請求の範囲】
【請求項１】
回転羽根を構成する大径羽根を収容するポンプ室と、回転羽根の小径羽根が挿入される吸込口と、ポンプ室から放射方向に延びる吐出口を有するポンプハウジングと、回転羽根を駆動するモータを備えた排水ポンプであって、
吐出口内に摺動自在に装備される逆止弁部材を備える
ことを特徴とする排水ポンプ。
【請求項２】
逆止弁部材は、吐出口のテーパー部に当接するテーパー弁部と、吐出口の内径部に摺動する複数のリブ状部材を備える請求項１記載の排水ポンプ。
【請求項３】
吐出口に装備される逆止弁部材は吐出口の端部に装着される蓋部材によって離脱不能に保持される請求項１又は２記載の排水ポンプ。
【発明の詳細な説明】
【技術分野】
【０００１】
本発明は、空調機の室内機に装備されて冷房時や除湿時に蒸発器に発生するドレン水を室外へ排水するための排水ポンプに関する。
【背景技術】
【０００２】
図４は、下記特許文献１にも説明されているセパレータ型の空調機の概要を示す。
空調機の室外機１０は、圧縮機１２と凝縮器１４を備え、冷媒を圧縮して液相冷媒として配管２０を介して室内機３０へ送る。
室内機３０は膨張弁３２を有し、液相冷媒の流量を制御して蒸発器３４へ送り、外気との間で熱交換を行い冷気を発生させる。
【０００３】
冷房運転時には、蒸発器３４の表面に空気中の水分が凝縮して付着し、水滴Ｗ１となってドレンパン４０上に落下する。
ドレンパン４０に集められたドレン水は排水ポンプ１により吸上げられて立上り管５０を介して室外に排出される。
【先行技術文献】
【特許文献】
【０００４】
【特許文献１】特開２０１０−２７５９７２号公報
【発明の概要】
【発明が解決しようとする課題】
【０００５】
空調機の運転が停止し、排水ポンプ１が停止すると立上り管５０内のドレン水Ｗ２はドレンパン４０内に戻される。ドレンパン４０内に戻されたドレン水は水分が蒸発し、錆の発生要因となるのに加えて、腐敗するとスライムと称する粘性の高い汚泥となり、排水ポンプ１の詰まり等の不具合の原因となる。
また悪臭等の不都合の原因ともなる。
【０００６】
また、立上り管５０内に溜った揚程Ｈ１のドレン水が急激に落下するために、排水ポンプ１のポンプ室の上部から噴出して上部のモータに影響を与えることもある。
このドレン水の噴出がモータ側へ向かうのを防止するために水切板を設ける必要もある。
そこで、本発明の目的は、上述した不具合を解消する排水ポンプを提供するものである。
【課題を解決するための手段】
【０００７】
上記目的を達成するために、本発明の排水ポンプは、回転羽根を構成する大径羽根を収容するポンプ室と、回転羽根の小径羽根が挿入される吸込口と、ポンプ室から放射方向に延びる吐出口を有するポンプハウジングと、回転羽根を駆動するモータを備えるとともに、吐出口内に摺動自在に装備される逆止弁部材を備え、吐出口に連通するテーパー部との間で逆止弁を構成するものである。
【０００８】
そして、逆止弁部材は、吐出口のテーパー部に当接するテーパー弁部と、吐出口の内径部に摺動する複数のリブ状部材を備える。
【０００９】
また、吐出口の出口に取り付けられて逆止弁部材を封止する蓋部材を備えるものである。
【発明の効果】
【００１０】
本発明の排水ポンプは運転停止時にポンプハウジングに逆流するドレン水の戻りを防止して水切板を省略することができる。
また、錆やスライムの発生に伴う排水ポンプの作動不良を防止することができる。
【図面の簡単な説明】
【００１１】
【図１】本発明の排水ポンプの断面図（開弁時）。
【図２】本発明の排水ポンプの断面図（閉弁時）。
【図３】逆止弁部材の説明図。
【図４】空調機の概要説明図。
【発明を実施するための形態】
【００１２】
図１は、本発明の排水ポンプ１００の断面構造を示し、排水ポンプ１００が運転中で揚水している状態を示す。
排水ポンプ１００はポンプハウジング１１０を有し、ポンプハウジング１１０は吸込口１２０と吐出口１２２の間にポンプ室１２４が設けられる。ポンプ室１２４と円筒状の吐出口１２２の間はテーパー部１２３で連通される。
【００１３】
ポンプ室１２４内には回転羽根１３０が配設され、ポンプ室１２４の開口部は蓋部材１４０で覆われる。蓋部材１４０の中心には回転羽根１３０の取付軸１３２が貫通する開口部１４２が形成される。
【００１４】
蓋部材１４０にはモータ支持部１４４が一体に設けられ、モータ支持部１４４の上部にはモータ１５０が収容され、カバー１６０で覆われる。カバー１６０は取付脚１６２を備える。
【００１５】
モータ１５０は給電線１５２で駆動され、出力軸１５４は回転羽根１３０の取付軸１３２の中心孔に挿入固着される。
【００１６】
本発明の排水ポンプ１００は吐出口１２２内に挿入される逆止弁部材２００を有し、逆止弁部材２００は、それを挿入した後は吐出カバー１７０にて離脱不能に保持される。
【００１７】
図１は、排水ポンプ１００が運転状態であって、ドレン水が吸込口１２０から吐出口１２２に向かう流れＦ１を形成する状態を示す。
逆止弁部材２００は、ドレン水流により吐出口カバー１７０に押しつけられ、ドレン水は開口部から立上り管側へ排水される。
このとき、流れＦ１は逆止弁部材２００による整流作用を受け、これが排水音の静粛化に寄与する。
【００１８】
図２は排水ポンプ１００の運転が停止し、立上り管内のドレン水が排水ポンプ１００側へ戻る状態を示す。吐出口１２２に戻るドレン水の水流Ｆ２に押されて逆止弁部材２００はテーパー部１２３に押し付けられて閉弁状態を形成する。
【００１９】
この作用により、立上り管内のドレン水はドレンパン側に逆流することが防止される。
これにより、ドレンパン内にドレン水が溜まり、汚泥化することが防止される。
【００２０】
図３は逆止弁部材２００の詳細な構造を示す。
逆止弁部材２００は円筒形の弁本体２１０を有し、弁本体２１０のテーパー部１２３側の先端部はテーパー弁部２２０に形成される。後端部は、細径部２３０を介して３枚のリブ状部材２４０が設けられる。
【００２１】
逆止弁部材２００は樹脂等の軽い材料により製造され、円筒状の吐出口１２２内で確実にスライドして逆止弁として機能する。
【００２２】
本発明の排水ポンプは以上のように、吐出口内に逆止弁を備えることにより、運転停止時に立上り管内のドレン水がドレンパンに逆流するのを防止する。
従って、逆流水を少なくできるからドレンパンを小型化することも可能となり、排水ポンプの水切板を省略することができる。
【符号の説明】
【００２３】
１  排水ポンプ
１０  室外機
１２  圧縮機
１４  凝縮器
２０、２２  配管
３０  室内機
３２  膨張弁
３４  蒸発器
４０  ドレンパン
５０  立上り管
１００  排水ポンプ
１１０  ポンプハウジング
１２０  吸込口
１２２  吐出口
１２３  テーパー部
１２４  ポンプ室
１３０  回転羽根
１３２  取付軸
１４０  蓋部材
１４２  開口部
１４４  モータ支持部
１５０  モータ
１５２  給電線
１５４  出力軸
１６０  カバー
１６２  取付脚
１７０  吐出口カバー
２００  逆止弁部材
２１０  弁本体
２２０  テーパー弁部
２３０  細径部
２４０  リブ状部材
【図１】
2014015860.tif 000003
【図２】
2014015860.tif 000004
【図３】
2014015860.tif 000005
【図４】
2014015860.tif 000006